【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
ＭＰＥＧ圧縮符号化された画像データおよび音声データとストリーム中の相対的な時刻基準値を示す固定のプログラム時刻基準値を含むＭＰＥＧトランスポート・ストリームを復号するＭＰＥＧストリーム復号装置であって、
ペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ＳＴＣ補正インタフェースとを備え、
通常再生時から一時停止制御時または早送りまたは早戻し制御時に、システム制御部に、一時停止または早送りまたは早戻し制御信号が入力されたタイミングで、ＳＴＣ発生部の出力するＳＴＣ値をクロック・メモリ部に保持し、
再び、通常再生が要求された時点で、ＳＴＣ補正インタフェースにより、クロック・メモリ部に保持されたＳＴＣ値を用いて、ＳＴＣ発生部の出力するＳＴＣ値を補正する
ことを特徴とするＭＰＥＧ符号化ストリーム復号装置。
【請求項２】
ＭＰＥＧ圧縮符号化された画像データおよび音声データとストリーム中の絶対的な時刻基準値を示すプログラム時刻基準値を含むＭＰＥＧトランスポート・ストリームを復号するＭＰＥＧストリーム復号装置であって、
ペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ビデオ・タイム・スタンプ書き換えインタフェース部と、オーディオ・タイム・スタンプ書き換えインタフェース部とを備え、
通常再生時においては、ペイロード情報解析部により抽出分離され、それぞれに対応する復号時刻情報、提示時刻情報とともにビデオＥＳバッファ部、オーディオＥＳバッファ部に一時記憶したビデオＥＳデータとオーディオＥＳデータとを所定のタイミングでビデオ・デコーダ、およびオーディオ・デコーダに入力し、
一時停止時にはシステム制御部に一時停止制御信号が入力されたタイミングでＳＴＣ発生部の出力するＳＴＣ値をクロック・メモリ部に保持すると同時にビデオ・デコーダ部への入力とオーディオ・デコーダ部への入力とを停止し、
再び、通常再生が要求された時点で、ビデオ・タイム・スタンプ書き換えインタフェースによりビデオＥＳバッファ部に格納されている復号時刻情報及び表示時刻情報を補正し、オーディオ・タイム・スタンプ書き換えインタフェースによりオーディオＥＳバッファ部に格納されている復号時刻情報及び提示時刻情報を補正し、ビデオ・デコーダ部への入力とオーディオ・デコーダ部への入力とを再開する
ことを特徴とするＭＰＥＧ符号化ストリーム復号装置。
【請求項３】
通常再生時においては、ペイロード情報解析部により抽出分離され、それぞれに対応する復号時刻情報、提示時刻情報とともにビデオＥＳバッファ部、オーディオＥＳバッファ部に一時記憶したビデオＥＳデータとオーディオＥＳデータとを所定のタイミングでビデオ・デコーダ、およびオーディオ・デコーダに入力し、
一時停止時にはシステム制御部に一時停止制御信号が入力されたタイミングでＳＴＣ発生部の出力するＳＴＣ値をクロック・メモリ部に保持すると同時にビデオ・デコーダ部への入力とオーディオ・デコーダ部への入力とを停止し、
再び、通常再生が要求された時点で、ＳＴＣ補正インタフェースによりＳＴＣ発生部の出力するＳＴＣ値をクロック・メモリ部に保持されたＳＴＣ値に補正し、ビデオ・デコーダ部への入力とオーディオ・デコーダ部への入力とを再開する
ことを特徴とする請求項１記載のＭＰＥＧ符号化ストリーム復号装置。
【請求項４】
さらに、ＳＴＣ補正インタフェースと、タイム・スタンプ・メモリ部とを備え、
早送りまたは早戻し制御時に、システム制御部に早送りまたは早戻し制御要求が入力されたタイミングでＳＴＣ発生部の出力するＳＴＣ値をクロック・メモリ部に保持し、また、タイム・スタンプ・メモリ部に、ビデオＥＳバッファ部に最後に受信したビデオＥＳデータの復号時刻情報の値を保持し、
再び、通常再生が要求された時点で、最初に受信されるビデオＥＳデータの復号時刻情報とタイム・スタンプ・メモリ部に保持された時刻値との差分値と、クロック・メモリ部に記憶されたＳＴＣ値とからＳＴＣ発生部の発生するＳＴＣ値を補正する
ことを特徴とする請求項１記載のＭＰＥＧ符号化ストリーム復号装置。
【請求項５】
ＭＰＥＧ圧縮符号化された画像データおよび音声データとストリーム中の相対的な時刻基準値を示す固定のプログラム時刻基準値を含むＭＰＥＧトランスポート・ストリームを復号するＭＰＥＧストリーム復号装置であって、
ペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ＳＴＣ補正インタフェースとビデオ・リオーダリング・バッファ部とを備え、
通常再生時においては、ペイロード情報解析部により抽出分離され、それぞれに対応する復号時刻情報、提示時刻情報とともにビデオＥＳバッファ部、オーディオＥＳバッファ部に一時記憶したビデオＥＳデータとオーディオＥＳデータとを所定のタイミングでビデオ・デコーダ、およびオーディオ・デコーダに入力し、
一時停止時には同時にビデオ・デコーダ部への入力およびビデオ・リオーダリング・バッファ部の出力、オーディオ・デコーダ部への入力とを停止し、受信データが中断されたタイミングでＳＴＣ発生部の出力するＳＴＣ値をクロック・メモリ部に保持し、
再び、通常再生が要求された時点で、ＳＴＣ補正インタフェースによりＳＴＣ発生部の出力するＳＴＣ値をクロック・メモリ部に保持されたＳＴＣ値に補正し、ビデオＥＳバッファ部、オーディオＥＳバッファ部、ビデオ・リオーダリング・バッファ部に蓄積された各データの復号時刻情報、提示時刻情報とを補正し、ビデオ・デコーダ部への入力およびビデオ・リオーダリング・バッファ部の出力とオーディオ・デコーダ部への入力とを再開する
ことを特徴とするＭＰＥＧ符号化ストリーム復号装置。
【手続補正２】
【補正対象書類名】明細書
【補正対象項目名】００３１
【補正方法】変更
【補正の内容】
【００３１】
本発明の請求項１に記載の発明は、ＭＰＥＧ圧縮符号化された画像データおよび音声データとストリーム中の相対的な時刻基準値を示す固定のプログラム時刻基準値を含むＭＰＥＧトランスポート・ストリームを復号するＭＰＥＧストリーム復号装置であって、
ペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ＳＴＣ補正インタフェースとを備え、
通常再生時から一時停止制御時または早送りまたは早戻し制御時に、システム制御部に、一時停止または早送りまたは早戻し制御信号が入力されたタイミングで、ＳＴＣ発生部の出力するＳＴＣ値をクロック・メモリ部に保持し、
再び、通常再生が要求された時点で、ＳＴＣ補正インタフェースにより、クロック・メモリ部に保持されたＳＴＣ値を用いて、ＳＴＣ発生部の出力するＳＴＣ値を補正する、という作用を有する。
請求項２に記載の発明は、ＭＰＥＧ圧縮符号化された画像データおよび音声データとストリーム中の絶対的な時刻基準値を示すプログラム時刻基準値を含むＭＰＥＧトランスポート・ストリームを復号するＭＰＥＧストリーム復号装置であって、少なくともペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ビデオ・タイム・スタンプ書き換えインタフェース部と、オーディオ・タイム・スタンプ書き換えインタフェース部とを備えたものであり、通常再生時においては、ペイロード情報解析部により抽出分離され、それぞれに対応する復号時刻情報、提示時刻情報とともにビデオＥＳバッファ部、オーディオＥＳバッファ部に一時記憶したビデオＥＳデータとオーディオＥＳデータとを所定のタイミングでビデオ・デコーダ、およびオーディオ・デコーダに入力し、一時停止時にはシステム制御部に一時停止制御信号が入力されたタイミングでＳＴＣ発生部の出力するＳＴＣ値をクロック・メモリ部に保持すると同時にビデオ・デコーダ部への入力とオーディオ・デコーダ部への入力とを停止し、再び、通常再生が要求された時点で、ビデオ・タイム・スタンプ書き換えインタフェースによりビデオＥＳバッファ部に格納されている復号時刻情報及び表示時刻情報を補正し、オーディオ・タイム・スタンプ書き換えインタフェースによりオーディオＥＳバッファ部に格納されている復号時刻情報及び提示時刻情報を補正し、ビデオ・デコーダ部への入力とオーディオ・デコーダ部への入力とを再開するという作用を有する。
【手続補正３】
【補正対象書類名】明細書
【補正対象項目名】００３２
【補正方法】変更
【補正の内容】
【００３２】
請求項３に記載の発明は、ＭＰＥＧ圧縮符号化された画像データおよび音声データとストリーム中の相対的な時刻基準値を示す固定のプログラム時刻基準値を含むＭＰＥＧトランスポート・ストリームを復号するＭＰＥＧストリーム復号装置であって、少なくともペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ＳＴＣ補正インタフェースとを備えたものであり、通常再生時においては、ペイロード情報解析部により抽出分離され、それぞれに対応する復号時刻情報、提示時刻情報とともにビデオＥＳバッファ部、オーディオＥＳバッファ部に一時記憶したビデオＥＳデータとオーディオＥＳデータとを所定のタイミングでビデオ・デコーダ、およびオーディオ・デコーダに入力し、一時停止時にはシステム制御部に一時停止制御信号が入力されたタイミングでＳＴＣ発生部の出力するＳＴＣ値をクロック・メモリ部に保持すると同時にビデオ・デコーダ部への入力とオーディオ・デコーダ部への入力とを停止し、再び、通常再生が要求された時点で、ＳＴＣ補正インタフェースによりＳＴＣ発生部の出力するＳＴＣ値をクロック・メモリ部に保持されたＳＴＣ値に補正し、ビデオ・デコーダ部への入力とオーディオ・デコーダ部への入力とを再開するという作用を有する。
【手続補正４】
【補正対象書類名】明細書
【補正対象項目名】００３３
【補正方法】変更
【補正の内容】
【００３３】
請求項４に記載の発明は、ＭＰＥＧ圧縮符号化された画像データおよび音声データとストリーム中の相対的な時刻基準値を示す固定のプログラム時刻基準値を含むＭＰＥＧトランスポート・ストリームを復号するＭＰＥＧストリーム復号装置であって、少なくともペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ＳＴＣ補正インタフェースと、タイム・スタンプ・メモリ部とを備えたものであり、早送りまたは早戻し制御時に、システム制御部に早送りまたは早戻し制御要求が入力されたタイミングでＳＴＣ発生部の出力するＳＴＣ値をクロック・メモリ部に保持し、また、タイム・スタンプ・メモリ部に、ビデオＥＳバッファ部に最後に受信したビデオＥＳデータの復号時刻情報の値を保持し、再び、通常再生が要求された時点で、最初に受信されるビデオＥＳデータの復号時刻情報とタイム・スタンプ・メモリ部に保持された時刻値との差分値と、クロック・メモリ部に記憶されたＳＴＣ値とからＳＴＣ発生部の発生するＳＴＣ値を補正するという作用を有する。
【手続補正５】
【補正対象書類名】明細書
【補正対象項目名】００３４
【補正方法】変更
【補正の内容】
【００３４】
請求項５に記載の発明は、ＭＰＥＧ圧縮符号化された画像データおよび音声データとストリーム中の相対的な時刻基準値を示す固定のプログラム時刻基準値を含むＭＰＥＧトランスポート・ストリームを復号するＭＰＥＧストリーム復号装置であって、少なくともペイロード情報解析部と、ビデオＥＳバッファ部と、オーディオＥＳバッファ部と、ビデオ・デコーダ部と、オーディオ・デコーダ部と、ＳＴＣ発生部と、システム制御部と、クロック・メモリ部と、ＳＴＣ補正インタフェースとビデオ・リオーダリング・バッファ部とを備え、通常再生時においては、ペイロード情報解析部により抽出分離され、それぞれに対応する復号時刻情報、提示時刻情報とともにビデオＥＳバッファ部、オーディオＥＳバッファ部に一時記憶したビデオＥＳデータとオーディオＥＳデータとを所定のタイミングでビデオ・デコーダ、およびオーディオ・デコーダに入力し、一時停止時には同時にビデオ・デコーダ部への入力およびビデオ・リオーダリング・バッファ部の出力、オーディオ・デコーダ部への入力とを停止し、受信データが中断されたタイミングでＳＴＣ発生部の出力するＳＴＣ値をクロック・メモリ部に保持し、再び、通常再生が要求された時点で、ＳＴＣ補正インタフェースによりＳＴＣ発生部の出力するＳＴＣ値をクロック・メモリ部に保持されたＳＴＣ値に補正し、ビデオＥＳバッファ部、オーディオＥＳバッファ部、ビデオ・リオーダリング・バッファ部に蓄積された各データの復号時刻情報、提示時刻情報とを補正し、ビデオ・デコーダ部への入力およびビデオ・リオーダリング・バッファ部の出力とオーディオ・デコーダ部への入力とを再開する、という作用を有する。